(57)【要約】【課題】  日常作業における整備性を低下させることなく、筐体内の主基板等に対するセキュリティ度を大幅に高めることができる、安全性及び整備性が共に高い回胴式遊技機を提供する。【解決手段】  筐体１０内の上部に棚板状の隔板１２を設ける。筐体１０内の上部に下側の主室１４から独立した副室１３を形成する。副室１３の正面開口部は、主室１４を開閉する下扉３０から独立した上扉２０により開閉される。上扉２０は鍵と下扉３０の上縁部とで二重にロックされる。下扉３０の上縁部によるロックのために、上扉２０の下縁部にリブ状のストッパー２３を設ける。下段の主室１４内には、日常作業が必要なドラム部４４及び払出装置４５を設け、副室１３内には、ゴト対策上、保護しなければならない主基板４１などの重要部品を収容する。【選択図】  図３
2009136630.tif 000002
【特許請求の範囲】
【請求項１】
複数の図柄を変動させる図柄変動表示ゲームを行う回胴式遊技機において、
正面が開口し内部にドラム部、払出部、電源部、制御部等の内部機器を収容すると共に、その内部の上段部分に下側の主室から隔離された副室を形成するべく内部に棚板状の隔板が設けられた筐体と、
副室の正面開口部を開閉するべく筐体の上部正面側に開閉可能に取り付けられ、閉止状態で隔板と共同して副室内を密閉する鍵付きの副扉と、
少なくとも主室の正面開口部を開閉するべく筐体の正面側に取り付けられ、副扉とは独立に開閉すると共に、閉止状態で同じく閉止状態の副扉の開放を阻止する副扉の保護部材を兼ねる鍵付き主扉とを具備することを特徴とする回胴式遊技機。
【請求項２】
請求項１に記載の回胴式遊技機において、主扉は、主室の正面開口部を開閉するべく副扉の下側に位置して筐体の正面側に取り付けられた下扉であり、上扉である副扉と共に筐体の前扉を構成すると共に、閉止状態で同じく閉止状態の上扉の下縁部を上縁部で係止して上扉の開放を阻止するロック部材兼用扉である回胴式遊技機。
【請求項３】
請求項１に記載の回胴式遊技機において、主扉は筐体の正面開口部を開閉する前扉であり、且つ閉止状態で同じく閉止状態の内扉である副扉を外側からシールドして内扉の開放を阻止する外扉である回胴式遊技機。
【請求項４】
請求項１に記載の回胴式遊技機において、副室は、下側の主室から隔板により隔離され、その正面開口部を開閉する副扉が施錠と主扉とで二重に保護されるセーフティボックスである回胴式遊技機。
【請求項５】
請求項１に記載の回胴式遊技機において、副室内には、内部機器のうちの不正改造をされる危険性の大きい部品が収容され、主室内には、日常作業を行う必要のある部品が収容される回胴式遊技機。
【請求項６】
請求項５に記載の回胴式遊技機において、不正改造をされる危険性の大きい部品は電源部及び制御部を含み、日常作業を行う必要のある部品はドラム部、払出部を含む回胴式遊技機。
【請求項７】
請求項１に記載の回胴式遊技機において、副扉の鍵と主扉の鍵は異なる種類である回胴式遊技機。
【請求項８】
請求項２に記載の回胴式遊技機において、下扉を閉じたときにその下扉で隠れる部分に上扉の鍵穴部が設けられている回胴式遊技機。
【請求項９】
請求項２に記載の回胴式遊技機において、メダル投入部、スタートスイッチ、ストップスイッチ等からなる操作部が下扉に設けられている回胴式遊技機。
【発明の詳細な説明】
【技術分野】
【０００１】
本発明は、一般にパチスロ機と称される回胴式遊技機に関し、更に詳しくは、不正改造に対して高いセキュリティ性を示す安全性に優れた回胴式遊技機に関する。
【背景技術】
【０００２】
近年、パチンコ機だけではなく、パチスロ機と称される回胴式遊技機を用いた遊技が、従来のパチンコホールやパチスロ専用ホールで盛んに行われている。これらの遊技機においては、制御用の主基板に搭載されたＲＯＭ内の情報により当選確率等が支配される。このため、制御用の主基板に対するセキュリティの確保が、機種を問わず重大な技術課題になっている。
【０００３】
すなわち、この種の遊技機においては、打ち止め解除、メダル補充、メダル詰まり解消、ドラム部の清掃等のために前扉を頻繁に開ける必要があり、その操作の煩雑さを避けるために、前扉はキーで簡単に開くようになっている。そして前扉を開けるごとに機器内が開放され、機器内の制御用主基板等が否が応にも人目に曝されることになる。これらのため、制御用主基板の改造（ＲＯＭの付け替えなど）といった不正行為が後を絶たず、これに対処するための様々な工夫が講じられている。
【０００４】
制御用主基板の不正改造を阻止するための典型的な対策は、主基板を封入する基板ケースを含めた基板取付け装置の改良である（特許文献１等参照）。基板ケースを含めた基板取付け装置は、ケース内の主基板の不正改造を見付けやすくするために、通常は透明樹脂で構成されている。
【０００５】
【特許文献１】特開２００１−１７０２５５号公報
【０００６】
基板ケースを含めた基板取付け装置の改良は有効であるが、基板取付け装置をいくら改良しても、ドラム部の清掃、メダルの補充、メダル詰まりの解消、打ち止め解除などの日常作業のたびに前扉が開放され、そのたびごとに基板取付け装置及び基板ケース内の主基板が人目に曝されるため、基板取付け装置の改良は抜本的な対策とはいえない。むしろ基板取付け装置の改良とは別の観点から新しい対策を考え出して、ゴト対策を幾重にも組み合わせるのが有効と考えられる。
【発明の開示】
【発明が解決しようとする課題】
【０００７】
本発明の目的は、遊技機の機体構造、特に筐体及び前扉の構造に工夫を講じることにより、日常作業における整備性を低下させることなく、筐体内の主基板等に対するセキュリティ度を大幅に高めることができる、安全性及び整備性が共に高い回胴式遊技機を提供することにある。
【課題を解決するための手段】
【０００８】
上記目的を達成するために、本発明の回胴式遊技機は、複数の図柄を変動させる図柄変動表示ゲームを行う回胴式遊技機において、正面が開口し内部にドラム部、払出部、電源部、制御部等の内部機器を収容すると共に、その内部の上段部分に下側の主室から隔離された副室を形成するべく内部に棚板状の隔板が設けられた筐体と、副室の正面開口部を開閉するべく筐体の上部正面側に開閉可能に取り付けられ、閉止状態で隔板と共同して副室内を密閉する鍵付きの副扉と、少なくとも主室の正面開口部を開閉するべく筐体の正面側に取り付けられ、副扉とは独立に開閉すると共に、閉止状態で同じく閉止状態の副扉の開放を阻止する副扉の保護部材を兼ねる鍵付き主扉とを具備している。
【０００９】
本発明の回胴式遊技機においては、筐体内の上部に、下側の主室から独立した副室が形成されている。この副室は、棚板状の隔板により下方の主室から隔離されると共に、正面開口部は主室の主扉から独立した副扉により開閉される。そして、その副扉は鍵付きの上に、閉止した主扉によっても二重にロックされる。これらのため、副室は主室から独立したセキュリティ度の高いセイフティボックスとなる。
【００１０】
遊技機の内部機器のうち、不正改造をされる危険性の大きい部品を、この副室内に収容することにより、不正改造に対するセキュリティ度が向上する。不正改造をされる危険性の大きい部品は、代表的には、制御部のなかの主基板であり、制御部のなかの副基板、更には電源部も含めるのが好ましい。主基板はＲＯＭ交換だけでなく不正な設定変更も行われる。不正な設定変更は電源をオフにして行われるので、電源部も副室内に収容することが推奨される。また、副基板は主基板に影響を与えることはないが、演出のために主基板から内部抽選結果信号を受け取るので、不正改造によりそのデータが不当に読み取られるおそれがある。これらのため、電源部や副基板も副室内に収容することが推奨されるのである。
【００１１】
一方、内部機器のうちドラム部は、日々回転運動を行うので、日常的に整備を行う必要がある。他方、メダル詰まりなどの日常的トラブルは、払出部や操作部で発生する。機種によっては、払出部へメダルを補充する必要がある。ドラム部、払出部といった部品は、副室の下の主室内に収容することが推奨される。主室は正面の主扉によってのみ開閉されるので、ドラム部及び払出部を主室内に収容しておけば、ドラム部の清掃、メダルの補充、メダル詰まりの解消、打ち止め解除などの日常作業に際しての機体内の開放は、従来の回胴式遊技機と同様に一つの鍵付き扉の開閉操作だけで簡単に行うことができる。
【００１２】
主室を開けても、棚板状の隔板のため、主室から副室内はみえず、副扉も施錠されたままであるために、主室の開閉に関係なく、副室内の主基板等はその室内に封入され続け、人目に触れることがない。すなわち、ゴト対策上、最も重要な部品である主基板等は、日常操作に伴う扉の開閉に関係なく、副室内に隔離封入され続けるのである。したがって、副室内に収容された主基板等のセキュリティ度は非常に高くなる。
【００１３】
副室を開けるときは、先ず主扉を開け、次いで副扉を開ける。すなわち、主室を開けなければ、副室を開けることはできない。また、いずれの扉を開放するときも、施錠を解除する必要がある。副室を開ける頻度は非常に低いので、その操作に手間のかかることは問題にならない。むしろ、その手間のかかることが、セキュリティの確保の上で大きな役割を果しているのである。前扉全体のセキュリティ度を高めた場合は、メダル詰まり解消、清掃、メダル補充の如き日常作業のための機内開放操作にも手間がかかるようになり、整備性が低下する。整備性の低下を伴うことなく、不正改造に対するセキュリティ度を高めるのが本発明である。
【００１４】
主室の正面開口部を開閉する主扉、及び副室の正面開口部を開閉する副扉の構造としては、次の二つが代表的である。第１は、主扉が、主室の正面開口部を開閉するべく副扉の下側に位置して筐体の正面側に取り付けられた下扉であり、上扉である副扉と共に筐体の前扉を構成すると共に、閉止状態で同じく閉止状態の上扉の下縁部を上縁部で係止して上扉の開放を阻止するロック部材兼用扉である、主扉が下扉、副扉が上扉の構造である。
【００１５】
第２は、主扉が筐体の正面開口部を開閉する前扉であり、且つ閉止状態で同じく閉止状態の内扉である副扉を外側からシールドして内扉の開放を阻止する外扉である、主扉が外扉、副扉が内扉の構造である。いずれの扉構造の場合も、副扉は鍵付きの上に、閉止した主扉によっても二重にロックされるため、副室は主室から独立したセキュリティ度の高いセイフティボックスとなる。
【００１６】
主扉が下扉、副扉が上扉の場合、副室の正面開口部を開閉する上扉については、下扉を閉じたときにその下扉で隠れる部分に鍵穴部を設けるのがよい。これにより、副室内及びその室内に収容された部品のセキュリティ度が一層向上する。また、メダル投入部、スタートスイッチ、ストップスイッチ等の操作部は、開閉が容易な下扉に設けるのがよい。下扉の開放により操作部の裏側が現れ、メダル詰まり解消作業など、操作部に対する作業が容易となる。
【００１７】
いずれの扉構造の場合も、副扉の鍵を、日常的に開閉される主扉の鍵と異なる種類の専用鍵とすることが望まれる。これによっても、副室内及びその室内に収容された部品のセキュリティ度が一層向上する。
【発明の効果】
【００１８】
本発明の回胴式遊技機は、下側の主室内から隔板により隔離され、主室の正面開口部を開閉する主扉から独立した副扉により正面開口部が開閉されると共に、その副扉が施錠と主扉とで二重に保護される副室を、セイフティボックスとして筐体内の上部に形成したので、そのセイフティボックス内に内部機器のうちのゴト対策上、保護しなければならない部品を収容することにより、その部品のセキュリティ度を著しく高めることができる。また、下側の主室内は従来の遊技機と同様に簡単に開閉されるので、日常作業が必要なドラム部や払出部を、ここに収容することにより、ドラム部の清掃、メダル補充、打ち止め解除等の日常作業に対しては従来どおり迅速に対応することができる。
【００１９】
すなわち、本発明の回胴式遊技機は、その固有の２室・２扉構造により、メダル詰まりなどの日常的トラブルや清掃、メダル補充作業などに対するメンテナンス性の低下を伴うことなく、不正行為に対するセキュリティ度を高めることができるのである。
【発明を実施するための最良の形態】
【００２０】
以下、本発明の実施形態を図面に基づいて詳細に説明する。
【００２１】
（第１実施形態）
図１は本発明の第１実施形態を示す回胴式遊技機の斜視図、図２は同回胴式遊技機の主室を開放した状態を示す斜視図、図３は同回胴式遊技機の副室を開放した状態を示す斜視図、図４は同回胴式遊技機の正面図、図５は図４中のＡ−Ａ線断面矢示図である。
【００２２】
第１実施形態の回胴式遊技機はいわゆるパチスロ機である。この回胴式遊技機は、図１〜図５に示すように、直方体状の筐体１０を備えている。筐体１０は正面が全面的に開口しており、その正面開口部は、前扉として上下２段に設けられた上扉２０及び下扉３０により開閉される。筐体１０、上扉２０及び下扉３０は、いずれも樹脂による一体成形により形成されている。
【００２３】
筐体１０は、開口部を正面に向けた角箱状の本体１１と、本体１１内の上部に設けられた水平な棚板状の隔板１２とを有している。本体１１の前面は、上方に向かって背面側へ傾斜している。本体１１と一体的に形成された隔板１２は、筐体１０の全高のほぼ１／３の高さのところにあり、本体１１内の上部に副室１３を、その下に主室１４をそれぞれ形成している。副室１３及び主室１４は、本体１１と同様に、前面のみ全面的に開口している。
【００２４】
副室１３は、正面開口部を閉止する上扉２０と共同して、下方の主室１４及び外部から隔離されたセーフティボックスを形成する。副室１３内には、主基板４１、副基板４２及び電源部４３が収容されている。主基板４１は、透明な保護ケースに封入されて、背板部の内面に取り外し不能に取付けられている。また副基板４２は、同じく透明な保護ケースに封入されて、隔板１２の上面に取り外し不能に取付けられており、電源部４３は、側板の内面に取付けられている。
【００２５】
電源部４３は、電源スイッチを装備しており、電源スイッチをオン状態にすることにより、各回路ブロックに電源を供給し、初期チェックや初期設定の後、変動表示ゲームを実行させる。電源部４３には、電源スイッチと共に、設定用キースイッチ及びエラー解除スイッチが設けられている。設定用キースイッチは、設定変更許可スイッチとも呼ばれ、出玉率の段階設定や段階確認を行うときに使用される。
【００２６】
主室１４内の上部には、ドラム部４４が配置されており、下部には払出装置４５が配置されている。ドラム部４４は、４つの縦リールを水平方向に並べた４リール形式であり、各リール内部に設けられた図柄表示ＬＥＤにより、各種演出に応じて発光（点灯や点滅）又は消灯を行う。図柄の配列に応じた枚数のメダルを払い出す払出装置４５は、本体１１の底板上に設置されており、上部はメダルを貯留するホッパーになっている。
【００２７】
上扉２０は、筐体１０内の上部に形成された副室１３の正面開口部を開閉する四角形の片開き式扉である。副扉である上扉２０は、筐体１０の左側の側縁部をヒンジ軸として開閉動作を行い、閉じた状態で筐体１０の本体１１と視覚的に一体化するように形成されている。上扉２０の正面に形成された四角形の凹部２１には、各種の演出表示を行うための平面型表示装置２２が嵌め込まれている。
【００２８】
平面型表示装置２２は、ＬＣＤ（液晶ディスプレイ）、ＰＤＰ（プラズマ・ディスプレイ・パネル）又は有機ＥＬ（エレクトロ・ルミネッセンス）などのＦＰＤ（フラット・パネル・ディスプレイ）で実現されており、副室１３内の副基板４２からの指示に基づいて、回胴遊技に関する各種映像演出や所要の情報の告知等を行う。
【００２９】
上扉２０の最下部には、ストッパー２３及び鍵穴部２４が設けられている。ストッパー２３は、扉本体の下面の略全長から下方へ突出する、下面に沿った断面凹状の横長リブであり、上扉２０及び下扉３０が閉じた状態で下扉３０の上縁部と係合することにより、上扉２０が開放するのを阻止する。
【００３０】
鍵穴部２４は、上扉２０を閉止状態にロックする部分であり、上扉２０の最下部の右端、すなわち開閉側（反ヒンジ側）の端部にストッパー２３の側方に位置して設けられている。この鍵穴部２４は、上扉２０が閉じた状態でこの鍵穴部２４をキーで操作することにより、上扉２０を筐体１０に固定する。また、下扉３０を閉じたときに、その下扉３０で鍵穴部２４が覆い隠されるように、鍵穴部２４は上扉２０の右側縁部下面から下方に突出している。
【００３１】
ストッパー２３と鍵穴部２４によって、上扉２０は閉止状態に二重に固定される。
【００３２】
下扉３０は、筐体１０内の副室２０の下に形成された主室１４の正面開口部を開閉する四角形状の片開き式扉である。主扉である下扉３０は、上扉２０の下側に位置し、上扉２０と同様に筐体１０の左側の側縁部をヒンジ軸として開閉動作を行い、閉じた状態で筐体１０の本体１１及び上扉２０と視覚的に一体化するように形成されている。下扉３０の上縁部内面には、上扉２０の下縁部に設けられた断面凹状のストッパー２３に正面側から嵌合する横長の凸状リブが設けられている。
【００３３】
下扉３０の上半部には、透明パネルが嵌め込まれた四角形の図柄表示窓３１が設けられている。図柄表示窓３１は、主室１４内の上部に配置されたドラム部４４の正面側に位置しており、図柄表示窓３１に嵌め込まれた透明パネルを通して主室１４内のドラム部４４の目視を可能とする。図柄表示窓３１内の透明パネルには、ドラム部４４の形式に応じた本数及び形状の有効ラインが表示されている。有効ライン上に特定の図柄が揃ったときに特定の役が成立することは周知のとおりである。
【００３４】
図柄表示窓３１の下は、正面側へ略水平に延出したテーブル部３２になっており、その下は、テーブル部３２の前縁部から下方へ下がりつつ背面側へ緩やかに湾曲する湾曲部３３を経て最下部のメダル受け３４に達している。テーブル部３２から湾曲部３３の最上部にかけての部分は操作部３５である。
【００３５】
操作部３５には、押しボタン式のマックスベッドスイッチ３５ａが、テーブル部３２の左端に位置して設けられている。テーブル部３２の右端部には、メダル投入部３５ｂが設けられている。湾曲部３３の最上部には、レバー式のスタートスイッチ３５ｃが左側に位置して設けられると共に、ドラム部４４のリール数に対応する複数個の押しボタン式のストップスイッチ３５ｄが、中央部に位置して設けられている。湾曲部３３の最上部の右端部分には、下扉３０を閉止状態に固定するための鍵穴部３６が設けられている。
【００３６】
マックスベットスイッチ３５ａは、遊技を行うためにメダル貯留装置の貯留メダルを最大数である３枚投入するときに使用する。マックスベットスイッチ３５ａの内部には、ＬＥＤが設けられており、マックスベットスイッチ３５ａが操作可能な状態のときに点灯する。スタートスイッチ３５ｃは、回胴回転指示手段の一部であり、遊技を行うために所定数の遊技メダルを投入後、ドラム部４４を一斉に始動させるときに使用する。また、出玉率の段階設定を行う場合、段階値１〜６の中から選択された所望の設定値を確定させるときに使用する。ストップスイッチ３５ｄは回転しているドラム部４４を停止させるときに使用され、操作可能の場合に内蔵されたＬＥＤが点灯する。
【００３７】
下扉３０をロックする鍵は、上扉２０をロックする鍵と相違している。すなわち、上扉２０及び下扉３０は、それぞれ専用の鍵にてロックされる。
【００３８】
湾曲部３３の操作部３５より下は電飾部３７であり、透光性の装飾パネルの裏側に配置された多数のＬＥＤなどにより各種の発光演出を行う。最下部のメダル受け３４は、下扉３０の略全幅にわたって正面側へ突出した横長の受け皿であって、その突出部の左端部分を除く部分に形成されており、払出装置４５から払い出されたメダルを一時的に貯留する。突出部の左端部分は灰皿収容部３８である。
【００３９】
筐体１０内の副室１３に配置された主基板４１は、同じく副室１３内の副基板４２とハーネスにより電気的に接続されている。制御信号は主基板４１から副基板４２へのみ伝送され、逆方向の信号伝送は行われない。副基板４２は、演出を司る平面型表示装置２２、電飾部３７、操作部３５、ドラム部４４などにおける発光表示装置等と電気的に接続され、これらへ制御信号を与える。副室１３内の主基板４１は、更に下扉３０内の操作部３５、主室１４内のドラム部４４の駆動装置及び払出装置４５ともハーネスにより電気的に接続されており、操作部３５からは操作信号を受け取り、ドラム部４４との間では制御信号の授受を行ってリールの回転制御を行い、払出装置４５へは払出信号を出力する。
【００４０】
以上が、第１実施形態の回胴式遊技機の構造説明である。次に、同回胴式遊技機の機能を、図１〜図３に基づいて説明する。
【００４１】
図１は、回胴式遊技機の前扉である上扉２０（副扉）及び下扉３０（主扉）を共に閉じた状態である。下扉３０は筐体１０に施錠により固定されて、筐体１０内の主室１４の正面開口部を閉止している。また、上扉２０は筐体１０に施錠により固定されて、筐体１０内の副室１３の正面開口部を閉止している。仮に、上扉２０の施錠を忘れても、上扉２０の下縁部に設けられたストッパー２３に対して下扉３０の上縁部が正面側から係合するため、上扉２０は開かない。すなわち、上扉２０は施錠と下扉３０とで二重にロックされ保護されている。しかも、上扉２０の施錠に係わる鍵穴部２４は、下扉３０によって覆い隠されているので、破壊される危険や合鍵を差し込まれる危険がない。回胴式遊技機はこの状態で使用される。
【００４２】
ホール内の店員は、下扉３０のキーのみを所持する。主室１４内のドラム部４４を掃除したり、主室１４内の払出装置４５へメダルを補充したりする場合、更には払出装置４５や下扉３０の操作部３５においてメダル詰まりが発生した場合は、下扉３０の鍵穴部３６にキーを差し込んで施錠状態を解除する。これにより、下扉３０は開く。下扉３０を開けた状態が図２である。この状態で、ドラム部４４の掃除や払出装置４５へのメダル補充を行うことができる。また、下扉３０の裏側が露出するので、操作部３５におけるメダル詰まりなども解消することができる。すなわち、日常的な作業は、下扉３０を開けるだけで全て行うことができる。
【００４３】
下扉３０を開けても、上扉２０は閉じられたままであるので、副室１３内は密閉されている。なぜなら、副室１３は本体１１の上部と隔板１２よって、正面開口部を除いて隔絶されており、その正面開口部は上扉２０によって閉止されているからである。このため、副室１３はセキュリティ度の高いセーフティボックスとなり、その室内に収容された主基板４１、副基板４２及び電源部４３は、主室１４を開放した状態でも見ることも触ることもできない。このため、これらの重要部品のセキュリティ度は著しく向上する。
【００４４】
設定変更、基板検査等に際しては、副室１３を開放する必要がある。そのときは、まず上扉２０用のキーを責任者から預かり、常時所持するキーで下扉３０を開けた後、上扉２０の施錠を専用キーにより解除する。これにより、上扉２０が開き、副室１３が開放され、副室１３内の主基板４１、副基板４２及び電源部４３の目視及び取り扱いが可能となる。副室１３を開放する頻度は低く、通常は主室１２を開放するだけであるので、副室１３内の重要部品が人目に曝される頻度が激減する。
【００４５】
ちなみに、従来の回胴式遊技機では、日常操作、日常整備のたびに頻繁に前扉を開ける必要があり、そのたびごとに重要部品が人目に曝されるので、重要部品はケースだけで保護しなければならず、そのセキュリティ度が高いとはいえなかった。
【００４６】
（第２実施形態）
図６は本発明の第２実施形態を示す回胴式遊技機の斜視図、図７は同回胴式遊技機の主室を開放した状態を示す斜視図、図８は同回胴式遊技機の副室を開放した状態を示す斜視図、図９は同回胴式遊技機の正面図、図１０は図９中のＢ−Ｂ線断面矢示図である。
【００４７】
第２実施形態の回胴式遊技機も第１実施形態の回胴式遊技機と同様にいわゆるパチスロ機である。この回胴式遊技機は、図６〜図１０に示すように、直方体状の筐体１０を備えている。筐体１０は正面が全面的に開口しており、その正面開口部は、前扉としての外扉５０により開閉される。筐体１０、外扉５０及び後述する内扉６０は、いずれも樹脂による一体成形により形成されている。
【００４８】
筐体１０は、開口部を正面に向けた角箱状の本体１１と、本体１１内の上部に設けられた水平な棚板状の隔板１２とを有している。本体１１の前面は、上方に向かって背面側へ傾斜している。本体１１と一体的に形成された隔板１２は、筐体１０の全高のほぼ１／３の高さのところにあり、本体１１内の上部に副室１３を、その下に主室１４をそれぞれ形成している。副室１３及び主室１４は、本体１１と同様に、前面のみ全面的に開口している。
【００４９】
副室１３は、その正面開口部のみを閉止する内扉６０及び前記外扉５０と共同して、下方の主室１４及び外部から隔離されたセーフティボックスを形成する。副室１３内には、主基板４１、副基板４２及び電源部４３が収容されている。主基板４１は、透明な保護ケースに封入されて、背板部の内面に取り外し不能に取付けられている。また副基板４２は、同じく透明な保護ケースに封入されて、隔板１２の上面に取り外し不能に取付けられており、電源部４３は、側板の内面に取付けられている。
【００５０】
電源部４３は、電源スイッチを装備しており、電源スイッチをオン状態にすることにより、各回路ブロックに電源を供給し、初期チェックや初期設定の後、変動表示ゲームを実行させる。電源部４３には、電源スイッチと共に、設定用キースイッチ及びエラー解除スイッチが設けられている。設定用キースイッチは、設定変更許可スイッチとも呼ばれ、出玉率の段階設定や段階確認を行うときに使用される。
【００５１】
主室１４内の上部には、ドラム部４４が配置されており、下部には払出装置４５が配置されている。ドラム部４４は、４つの縦リールを水平方向に並べた４リール形式であり、各リール内部に設けられた図柄表示ＬＥＤにより、各種演出に応じて発光（点灯や点滅）又は消灯を行う。図柄の配列に応じた枚数のメダルを払い出す払出装置４５は、本体１１の底板上に設置されており、上部はメダルを貯留するホッパーになっている。
【００５２】
外扉５０は、筐体１０の正面開口部全体を開閉する四角形の片開き式扉である。主扉であり前扉でもある外扉５０は、筐体１０の左側の側縁部をヒンジ軸として開閉動作を行い、閉じた状態で筐体１０の本体１１と視覚的に一体化するように形成されている。外扉５０の上側の過半部正面は、縦に長い長方形の枠部に囲まれた凹部５１であり、凹部５１の上半分は各種の演出表示を行うための平面型表示装置５２である。
【００５３】
平面型表示装置５２は、ＬＣＤ（液晶ディスプレイ）、ＰＤＰ（プラズマ・ディスプレイ・パネル）又は有機ＥＬ（エレクトロ・ルミネッセンス）などのＦＰＤ（フラット・パネル・ディスプレイ）で実現されており、副室１３内の副基板４２からの指示に基づいて、回胴遊技に関する各種映像演出や所要の情報の告知等を行う。
【００５４】
凹部５１の下半分は、透明パネルが嵌め込まれた四角形の図柄表示窓５３である。図柄表示窓５３は、主室１４内の上部に配置されたドラム部４４の正面側に位置しており、図柄表示窓５３に嵌め込まれた透明パネルを通して主室１４内のドラム部４４の目視を可能とする。図柄表示窓５３内の透明パネルには、ドラム部４４の形式に応じた本数及び形状の有効ラインが表示されている。有効ライン上に特定の図柄が揃ったときに特定の役が成立することは周知のとおりである。
【００５５】
凹部５１の下は、正面側へ略水平に延出したテーブル部５４になっており、その下は、テーブル部５４の前縁部から下方へ下がりつつ背面側へ緩やかに湾曲する湾曲部５５を経て最下部のメダル受け５６に達している。テーブル部５４から湾曲部５５の最上部にかけての部分は操作部５７である。
【００５６】
操作部５７には、押しボタン式のマックスベッドスイッチ５７ａが、テーブル部５４の左端に位置して設けられている。テーブル部５４の右端部には、メダル投入部５７ｂが設けられている。湾曲部５５の最上部には、レバー式のスタートスイッチ５７ｃが左側に位置して設けられると共に、ドラム部４４のリール数に対応する複数個の押しボタン式のストップスイッチ５７ｄが、中央部に位置して設けられている。湾曲部５５の最上部の右端部分には、外扉５０を閉止状態に固定するための鍵穴部５８が設けられている。
【００５７】
マックスベットスイッチ５７ａは、遊技を行うためにメダル貯留装置の貯留メダルを最大数である３枚投入するときに使用する。マックスベットスイッチ５７ａの内部には、ＬＥＤが設けられており、マックスベットスイッチ５７ａが操作可能な状態のときに点灯する。スタートスイッチ５７ｃは、回胴回転指示手段の一部であり、遊技を行うために所定数の遊技メダルを投入後、ドラム部４４を一斉に始動させるときに使用する。また、出玉率の段階設定を行う場合、段階値１〜６の中から選択された所望の設定値を確定させるときに使用する。ストップスイッチ５７ｄは回転しているドラム部４４を停止させるときに使用され、操作可能の場合に内蔵されたＬＥＤが点灯する。
【００５８】
湾曲部５５の操作部５７より下は電飾部５９であり、透光性の装飾パネルの裏側に配置された多数のＬＥＤなどにより各種の発光演出を行う。最下部のメダル受け５６は、外扉５０の略全幅にわたって正面側へ突出した横長の受け皿であって、その突出部の左端部分を除く部分に形成されており、払出装置４５から払い出されたメダルを一時的に貯留する。突出部の左端部分は灰皿収容部５６’である。
【００５９】
内扉６０は、筐体１０内の上部に形成された副室２０の正面開口部を開閉する四角形状の片開き式扉である。副扉である内扉６０は、外扉５０の最上部に設けられた平面型表示装置５２の裏側に位置しており、外扉５０と同様に筐体１０の左側の側縁部をヒンジ軸として開閉動作を行う。内扉６０の反ヒンジ側の側縁部には鍵穴部６１が設けられている。内扉６０をロックする鍵は、外扉５０をロックする鍵と相違している。すなわち、外扉５０及び内扉６０は、それぞれ専用の鍵にてロックされる。
【００６０】
筐体１０内の副室１３に配置された主基板４１は、同じく副室１３内の副基板４２とハーネスにより電気的に接続されている。制御信号は主基板４１から副基板４２へのみ伝送され、逆方向の信号伝送は行われない。副基板４２は、演出を司る平面型表示装置２２、電飾部５９、操作部５７、ドラム部４４などにおける発光表示装置等と電気的に接続され、これらへ制御信号を与える。副室１３内の主基板４１は、更に外扉５０内の操作部５７、主室１４内のドラム部４４の駆動装置及び払出装置４５ともハーネスにより電気的に接続されており、操作部５７からは操作信号を受け取り、ドラム部４４との間では制御信号の授受を行ってリールの回転制御を行い、払出装置４５へは払出信号を出力する。
【００６１】
以上が、第２実施形態の回胴式遊技機の構造説明である。次に、同回胴式遊技機の機能を、図６〜図８に基づいて説明する。
【００６２】
図５は、回胴式遊技機の前扉である外扉５０（主扉）、及び内側の内扉６０（副扉）を共に閉じた状態である。内扉６０は筐体１０に施錠により固定されて、筐体１０内の副室１３の正面開口部を閉止している。また、外扉５０は筐体１０に施錠により固定されて、筐体１０内の正面開口部全体を閉止しており、これにより、内扉６０も外扉５０によって覆い隠されている。したがって、仮に、内扉６０の施錠を忘れても、外扉５０を開放しなければ問題はない。すなわち、内扉６０は施錠と外扉５０とで二重に保護されているのである。回胴式遊技機はこの状態で使用される。
【００６３】
ホール内の店員は、外扉５０のキーのみを所持する。主室１４内のドラム部４４を掃除したり、主室１４内の払出装置４５へメダルを補充したりする場合、更には払出装置４５や外扉５０の操作部５７においてメダル詰まりが発生した場合は、外扉５０の鍵穴部５８にキーを差し込んで施錠状態を解除する。これにより、外扉５０は開く。外扉５０を開けた状態が図２である。この状態で、ドラム部４４の掃除や払出装置４５へのメダル補充を行うことができる。また、外扉５０の裏側が露出するので、操作部５７におけるメダル詰まりなども解消することができる。すなわち、日常的な作業は、外扉５０を開けるだけで全て行うことができる。
【００６４】
外扉５０を開けても、内扉６０は閉じられたままであるので、副室１３内は密閉されている。なぜなら、副室１３は本体１１の上部と隔板１２よって、正面開口部を除いて隔絶されており、その正面開口部は内扉６０によって閉止されているからである。このため、副室１３はセキュリティ度の高いセーフティボックスとなり、その室内に収容された主基板４１、副基板４２及び電源部４３は、主室１４を開放した状態でも見ることも触ることもできない。このため、これらの重要部品のセキュリティ度は著しく向上する。
【００６５】
設定変更、基板検査等に際しては、副室１３を開放する必要がある。そのときは、まず内扉６０用のキーを責任者から預かり、常時所持するキーで外扉５０を開けた後、内扉６０の施錠を専用キーにより解除する。これにより、内扉６０が開き、副室１３が開放され、副室１３内の主基板４１、副基板４２及び電源部４３の目視及び取り扱いが可能となる。副室１３を開放する頻度は低く、通常は主室１２を開放するだけであるので、副室１３内の重要部品が人目に曝される頻度が激減する。
【００６６】
ちなみに、従来の回胴式遊技機では、日常操作、日常整備のたびに頻繁に前扉を開ける必要があり、そのたびごとに重要部品が人目に曝されるので、重要部品はケースだけで保護しなければならず、そのセキュリティ度が高いとはいえなかった。
【図面の簡単な説明】
【００６７】
【図１】本発明の第１実施形態を示す回胴式遊技機の斜視図である。
【図２】同回胴式遊技機の主室を開放した状態を示す斜視図である。
【図３】同回胴式遊技機の副室を開放した状態を示す斜視図である。
【図４】同回胴式遊技機の正面図である。
【図５】図４中のＡ−Ａ線断面矢示図である。
【図６】本発明の第２実施形態を示す回胴式遊技機の斜視図である。
【図７】同回胴式遊技機の主室を開放した状態を示す斜視図である。
【図８】同回胴式遊技機の副室を開放した状態を示す斜視図である。
【図９】同回胴式遊技機の正面図である。
【図１０】図９中のＢ−Ｂ線断面矢示図である。
【符号の説明】
【００６８】
１０  筐体
１１  本体
１２  棚板
１３  副室
１４  主室
２０  上扉（副扉）
２２  平面型表示装置
２３  ストッパー
２４  鍵穴部
３０  下扉（主扉）
３１  図柄表示窓
３２  テーブル部
３３  正面湾曲部
３４  メダル受け
３５  操作部
３６  鍵穴部
３７  電飾部
４１  主基板
４２  副基板
４３  電源部
４４  ドラム部
４５  払出装置
５０  外扉（主扉）
５１  凹部
５２  平面型表示装置
５３  図柄表示窓
５４  テーブル部
５５  正面湾曲部
５６  メダル受け
５７  操作部
５８  鍵穴部
５９  電飾部
６０  内扉（副扉）
６２  鍵穴部
【図１】
2009136630.tif 000003
【図２】
2009136630.tif 000004
【図３】
2009136630.tif 000005
【図４】
2009136630.tif 000006
【図５】
2009136630.tif 000007
【図６】
2009136630.tif 000008
【図７】
2009136630.tif 000009
【図８】
2009136630.tif 000010
【図９】
2009136630.tif 000011
【図１０】
2009136630.tif 000012
【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
複数の図柄を変動させる図柄変動表示ゲームを行う回胴式遊技機において、
正面が開口し内部にドラム部、払出部、電源部、制御部等の内部機器を収容すると共に、その内部の上段部分に下側の主室から隔離された副室を形成するべく内部に棚板状の隔板が設けられた筐体と、
副室の正面開口部を開閉するべく筐体の上部正面側に開閉可能に取り付けられ、閉止状態で隔板と共同して副室内を密閉する鍵付きの副扉と、
少なくとも主室の正面開口部を開閉するべく筐体の正面側に取り付けられ、副扉とは独立に開閉すると共に、閉止状態で同じく閉止状態の副扉の開放を阻止する副扉の保護部材を兼ねる鍵付き主扉とを具備し、
主扉は、主室の正面開口部を開閉するべく副扉の下側に位置して筐体の正面側に取り付けられた下扉であり、上扉である副扉と共に筐体の前扉を構成すると共に、閉止状態で同じく閉止状態の副扉の下縁部を上縁部で係止して上扉の開放を阻止するロック部材兼用扉であり、
副扉の下縁部には、扉本体の下面の略全長から下方へ突出し且つ下面に沿った断面凹状の横長リブのストッパー及び副扉を閉止状態にロックする鍵穴部が設けられ、
主扉の上縁部内面には、副扉のストッパーに正面側から嵌合する横長の凸状リブが設けられ、
鍵穴部は、主扉を閉じたときに覆い隠されるように、副扉の縁部下面から下方に突出していること、
を特徴とする回胴式遊技機。
【手続補正２】
【補正対象書類名】明細書
【補正対象項目名】０００８
【補正方法】変更
【補正の内容】
【０００８】
上記目的を達成するために、本発明の回胴式遊技機は、複数の図柄を変動させる図柄変動表示ゲームを行う回胴式遊技機において、正面が開口し内部にドラム部、払出部、電源部、制御部等の内部機器を収容すると共に、その内部の上段部分に下側の主室から隔離された副室を形成するべく内部に棚板状の隔板が設けられた筐体と、副室の正面開口部を開閉するべく筐体の上部正面側に開閉可能に取り付けられ、閉止状態で隔板と共同して副室内を密閉する鍵付きの副扉と、少なくとも主室の正面開口部を開閉するべく筐体の正面側に取り付けられ、副扉とは独立に開閉すると共に、閉止状態で同じく閉止状態の副扉の開放を阻止する副扉の保護部材を兼ねる鍵付き主扉とを具備し、主扉は、主室の正面開口部を開閉するべく副扉の下側に位置して筐体の正面側に取り付けられた下扉であり、上扉である副扉と共に筐体の前扉を構成すると共に、閉止状態で同じく閉止状態の副扉の下縁部を上縁部で係止して上扉の開放を阻止するロック部材兼用扉であり、副扉の下縁部には、扉本体の下面の略全長から下方へ突出し且つ下面に沿った断面凹状の横長リブのストッパー及び副扉を閉止状態にロックする鍵穴部が設けられ、主扉の上縁部内面には、副扉のストッパーに正面側から嵌合する横長の凸状リブが設けられ、鍵穴部は、主扉を閉じたときに覆い隠されるように、副扉の縁部下面から下方に突出していることを特徴とする。
【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
複数の図柄を変動させる図柄変動表示ゲームを行う回胴式遊技機において、
正面が開口し内部にドラム部、払出部、電源部、制御部等の内部機器を収容すると共に、その内部の上段部分に下側の主室から隔離された副室を形成するべく内部に棚板状の隔板が設けられた筐体と、
副室の正面開口部を開閉するべく筐体の上部正面側に開閉可能に取り付けられ、閉止状態で隔板と共同して副室内を密閉する鍵付きの副扉と、
少なくとも主室の正面開口部を開閉するべく筐体の正面側に取り付けられ、副扉とは独立に開閉すると共に、閉止状態で同じく閉止状態の副扉の開放を阻止する副扉の保護部材を兼ねる鍵付き主扉とを具備し、
主扉は、主室の正面開口部を開閉するべく副扉の下側に位置して筐体の正面側に取り付けられた下扉であり、上扉である副扉と共に筐体の前扉を構成すると共に、閉止状態で同じく閉止状態の副扉の下縁部を上縁部で係止して上扉の開放を阻止するロック部材兼用扉であり、
副扉の下縁部には、扉本体の下面の略全長から下方へ突出し且つ下面に沿った断面凹状の横長リブのストッパー及び副扉を閉止状態にロックする鍵穴部が設けられ、
主扉の上縁部内面には、副扉のストッパーに正面側から嵌合する横長の凸状リブが設けられ、
鍵穴部は、主扉を閉じたときに覆い隠されるように、副扉の右側縁部下面から下方に突出していること、
を特徴とする回胴式遊技機。
【手続補正２】
【補正対象書類名】明細書
【補正対象項目名】０００８
【補正方法】変更
【補正の内容】
【０００８】
上記目的を達成するために、本発明の回胴式遊技機は、複数の図柄を変動させる図柄変動表示ゲームを行う回胴式遊技機において、正面が開口し内部にドラム部、払出部、電源部、制御部等の内部機器を収容すると共に、その内部の上段部分に下側の主室から隔離された副室を形成するべく内部に棚板状の隔板が設けられた筐体と、副室の正面開口部を開閉するべく筐体の上部正面側に開閉可能に取り付けられ、閉止状態で隔板と共同して副室内を密閉する鍵付きの副扉と、少なくとも主室の正面開口部を開閉するべく筐体の正面側に取り付けられ、副扉とは独立に開閉すると共に、閉止状態で同じく閉止状態の副扉の開放を阻止する副扉の保護部材を兼ねる鍵付き主扉とを具備し、主扉は、主室の正面開口部を開閉するべく副扉の下側に位置して筐体の正面側に取り付けられた下扉であり、上扉である副扉と共に筐体の前扉を構成すると共に、閉止状態で同じく閉止状態の副扉の下縁部を上縁部で係止して上扉の開放を阻止するロック部材兼用扉であり、副扉の下縁部には、扉本体の下面の略全長から下方へ突出し且つ下面に沿った断面凹状の横長リブのストッパー及び副扉を閉止状態にロックする鍵穴部が設けられ、主扉の上縁部内面には、副扉のストッパーに正面側から嵌合する横長の凸状リブが設けられ、鍵穴部は、主扉を閉じたときに覆い隠されるように、副扉の右側縁部下面から下方に突出していることを特徴とする。